(57)【要約】      （修正有）【課題】中間転写ユニットの交換性、ジャム処理などのメンテナンス性を向上させつつ、中間転写ユニットと２次転写装置との間の位置精度を向上せさ、「シワ、ミミズ」、「濃度ムラ」を防止することができる画像形成装置を提供する。【解決手段】中間転写ユニットは、画像形成部に対してスライド可能に構成され、２次転写装置は、画像形成部に対して中間転写ユニットと独立してスライド可能に構成された引出しユニットに搭載され、引出しユニットは、２次転写装置と連結された位置決め部材７８と、位置決め部材の位置を固定する固定部材７９と、位置決め部材と固定部材を支持する支持部材８０と、を備え、位置決め部材７８と固定部材７９が、支持部材８０と嵌合し、支持部材８０と固定部材７９との間に隙間を設けることにより、２次転写装置の位置を調整可能とした。【選択図】図８
2017211589.tif 000002
【特許請求の範囲】
【請求項１】
記録媒体に画像を形成する画像形成部と、前記画像形成部に前記記録媒体を供給する給紙部と、を有する画像形成装置であって、
前記画像形成部は、
中間転写ベルトに前記画像を転写する中間転写ユニットと、
前記中間転写ベルトに転写された前記画像を前記記録媒体に転写する２次転写装置と、を備え、
前記中間転写ユニットは、前記画像形成部に対してスライド可能に構成され、
前記２次転写装置は、前記画像形成部に対して前記中間転写ユニットと独立してスライド可能に構成された引出しユニットに搭載され、
前記引出しユニットは、
前記２次転写装置と連結された位置決め部材と、
前記位置決め部材の位置を固定する固定部材と、
前記位置決め部材と前記固定部材を支持する支持部材と、を備え、
前記位置決め部材と前記固定部材が、前記支持部材と嵌合し、前記支持部材と前記固定部材との間に隙間を設けることにより、前記２次転写装置の位置を調整可能としたことを特徴とする画像形成装置。
【請求項２】
請求項１に記載の画像形成装置に、前記中間転写ユニットと前記位置決め部材との相対的位置関係を定めることができる調整治具を付けた調整治具付き画像形成装置。
【請求項３】
前記調整治具が、前記中間転写ユニットに設けられた中間転写斥力ローラ軸の位置である主基準および、前記中間転写ユニットにおける前記主基準の位置と異なる位置であって前記中間転写ユニットに設けられた従基準孔、ピンまたはエンボスの位置である従基準に基づいて位置決めされることを特徴とする請求項２に記載の調整治具付き画像形成装置。
【発明の詳細な説明】
【技術分野】
【０００１】
本発明は、画像形成装置に関するものであり、特に、中間転写ユニットを用いた電子写真方式の画像形成装置に関する。
【背景技術】
【０００２】
近年の電子写真方式の画像処理装置においては、トナーを記録紙に吹付けてそれをレーザーで焼き付けて画像を記録紙に定着させるという印刷方法が一般に採用されている。かかるレーザーによる焼き付けには中間転写ユニットと呼ばれる部品が用いられているが、中間転写ユニットは、消耗品の一種であるので、例えば、業務用プリンターなど印刷枚数が多い用途に用いられる画像形成装置においては、中間転写ユニットを交換する必要が生じる場合が少なくなく、また、この交換作業はメーカの技術者でなくユーザ自身により行われる場合が多い。
【０００３】
さらに、画像処理装置の中で記録紙の紙詰まりが発生した場合には、ユーザが装置内に詰まった記録紙を取り除くために中間転写ユニットを動かす必要が生じる場合がある。
【０００４】
しかしながら、従来の画像処理装置においては、中間転写ユニットを動かすのがユーザにとって容易ではない構造になっており、中間転写ユニットの交換あるいは紙詰まり（ジャム）処理の都度、ユーザは中間転写ユニットの移動に苦心しているという状況が発生していた。
【０００５】
かかる問題を解決する手段として、中間転写ユニットの交換性、ジャム処理などのメンテナンス性を向上させるために、中間転写ユニットをスライド可能な構成とし、画像形成装置本体に出し入れ可能とした画像形成装置が提唱されている（特許文献１）。
【発明の概要】
【発明が解決しようとする課題】
【０００６】
しかしながら、中間転写ユニットをスライド可能な構成とし、ユーザにとって中間転写ユニットを移動させる負担は軽減できたものの、中間転写ユニットと２次転写装置との間の位置精度が悪くなり、「シワ、ミミズ」、「濃度ムラ」が発生するという問題は解消できていない。
【０００７】
本発明は、上述した問題を解決するためになされた発明であり、電子写真方式の画像形成装置において、中間転写ユニットの交換性、ジャム処理などのメンテナンス性を向上させつつ、中間転写ユニットと２次転写装置との間の位置精度を向上せさ、「シワ、ミミズ」、「濃度ムラ」を防止することを目的とする。
【課題を解決するための手段】
【０００８】
本発明に係る画像形成装置は、記録媒体に画像を形成する画像形成部と、前記画像形成部に前記記録媒体を供給する給紙部と、を有する画像形成装置であって、前記画像形成部は、中間転写ベルトに前記画像を転写する中間転写ユニットと、前記中間転写ベルトに転写された前記画像を前記記録媒体に転写する２次転写装置と、を備え、前記中間転写ユニットは、前記画像形成部に対してスライド可能に構成され、前記２次転写装置は、前記画像形成部に対して前記中間転写ユニットと独立してスライド可能に構成された引出しユニットに搭載され、前記引出しユニットは、前記２次転写装置と連結された位置決め部材と、前記位置決め部材の位置を固定する固定部材と、前記位置決め部材と前記固定部材を支持する支持部材と、を備え、前記位置決め部材と前記固定部材が、前記支持部材と嵌合し、前記支持部材と前記固定部材との間に隙間を設けることにより、前記２次転写装置の位置を調整可能としたことを特徴としている。
【０００９】
この構成により、２次転写装置と中間転写ユニットの位置決めを各々独立して行うことにより、２次転写装置、または、中間転写ユニットを引き出す際に、他方のユニットが邪魔にならない構成となるので、交換時、メンテナンス時の作業性が上がる。
【００１０】
また、２次転装置の位置を調整可能な構成とすることにより、中間転写ユニットと２次転写装置との間の位置精度の向上が可能となるので、「圧偏差によるシワ、ミミズ」、「濃度ムラ」を防止することができる。
【発明の効果】
【００１１】
本発明によれば、電子写真方式の画像形成装置において、中間転写ユニットの交換性、ジャム処理などのメンテナンス性を向上させつつ、中間転写ユニットと２次転写装置との間の位置精度を向上せさ、「シワ、ミミズ」、「濃度ムラ」を防止することができる。
【図面の簡単な説明】
【００１２】
【図１】本発明の一実施形態に係る画像形成装置の構成を示す概略図である。
【図２】本発明の一実施形態に係る画像形成装置の斜視図である。
【図３】本発明の一実施形態に係る画像形成装置における２次転写装置の配置を示す斜視図である。
【図４】本発明の一実施形態に係る画像形成装置における中間転写ユニットの配置を示す斜視図である。
【図５】本発明の一実施形態に係る２次転写装置と中間転写ユニットの相対的位置関係を示す斜視図であり、画像形成装置の前側から見た図である。
【図６】本発明の一実施形態に係る２次転写装置の位置調整機構について説明する斜視図であり、画像形成装置の前側から見た図である。
【図７】本発明の一実施形態に係る２次転写装置の位置調整機構について説明する斜視図であり、画像形成装置の後側から見た図である。
【図８】本発明の一実施形態に係る固定部材と支持部材との間に設けられた隙間を示す概略図である。
【図９】本発明の一実施形態に係る調整治具の位置決め基準を示す概略図である。
【図１０】本発明の一実施形態に係る位置決めを行う部位を示す概略図である。
【発明を実施するための形態】
【００１３】
以下、本発明の一実施形態につき、図面を参照して説明する。
【００１４】
図１は、本発明の一実施形態に係る画像形成装置の構成を示す概略図であり、図２は、本発明の一実施形態に係る画像形成装置の斜視図である。
【００１５】
図１に示すように、画像形成装置１は、自動原稿搬送装置（以下、ＡＤＦという）１０と、画像形成装置本体１１とから構成されている。また、画像形成装置本体１１は、給紙部３と、画像読取部４と、画像形成部５とから構成されている。そして、画像形成部５の前側Ｆには、後述する引出しユニット７６の前面に設けられる前カバー６が配置されている。
【００１６】
なお、本明細書中においては、図２に矢印で示すとおり、画像形成装置１の前側Ｆとは画像形成装置１の手前側を意味するとともに、後側Ｒとは画像形成装置１の奥側を意味する。
【００１７】
ＡＤＦ１０は、原稿トレイ２０と、給紙ローラ２１と、搬送ベルト２２と、排紙ローラ２３と、排紙トレイ２４とを含んで構成されている。ＡＤＦ１０は、画像読取部４に対し、ヒンジなどの開閉機構を介して開閉自在に取付けられている。
【００１８】
給紙ローラ２１は、原稿トレイ２０に載置された原稿の束から１枚ずつ分離して、画像読取部４に向かって搬送する。搬送ベルト２２は、給紙ローラ２１によって分離された原稿を画像読取部４に搬送する。排紙ローラ２３は、搬送ベルト２２によって画像読取部４から排紙される原稿を、原稿トレイ２０の下方の排紙トレイ２４に排紙する。
【００１９】
給紙部３は、給紙カセット３０と、給紙手段３１とを備えている。給紙カセット３０は用紙サイズの異なる記録媒体を収容する。給紙手段３１は、給紙カセット３０に収納された記録媒体を画像形成部５の画像形成位置まで搬送する。
【００２０】
画像読取部４は、筐体４０と、走査光学ユニット４１と、コンタクトガラス４２と、駆動手段とを含んで構成されている。
【００２１】
走査光学ユニット４１は、筐体４０の内部に設けられるとともに、ＬＥＤユニットを備えている。走査光学ユニット４１は、ＬＥＤユニットから主走査方向に光を照射するとともに、駆動手段によって全照射領域内において副走査方向に走査される。これにより、走査光学ユニット４１は、原稿の２次元カラー画像を読み取るようになっている。
【００２２】
コンタクトガラス４２は、画像読取部４の筐体４０の上部に設けられ、筐体４０の上面部を構成している。駆動手段は、走査光学ユニット４１に固定されたワイヤと、ワイヤに橋架される複数の従動プーリおよび駆動プーリと、駆動プーリを回転させるモータとを備えている。
【００２３】
画像形成部５は、露光ユニット５１と、中間転写ユニット７７と、中間転写ベルト５４と、中間転写ローラ５５と、２次転写装置５２と、定着装置の一例としての定着ユニット５３と、主搬送路７０と、反転搬送路７３とを含んで構成されている。
【００２４】
露光ユニット５１は、タンデム画像形成装置５０に隣接して配置されている。露光ユニット５１は、各色に設けられた感光体ドラム７４に露光を行うようになっている。
【００２５】
中間転写ユニット７７は、中間転写ベルト５４の上部に位置し、中間転写ベルト５４の回転方向に沿ってイエロー、シアン、マゼンタ、ブラックの４つの画像形成手段７５から構成されている。個々の画像形成手段７５は、上記各色に設けられた感光体ドラム７４の周りに帯電装置、現像装置、感光体クリーニング装置、除電装置などを備えている。そして、各感光体ドラム７４とその周りに設けられる上記各装置がユニット化されて１つのプロセスカートリッジを構成している。
【００２６】
そして、中間転写ユニット７７では、画像読取部４によって読み取られて色別分解された画像情報に基づいて、各感光体ドラム７４に色分けしてトナーにより形成された可視画像（トナー画像）を形成するようになっている。また、各感光体ドラム７４に形成された可視画像は、各感光体ドラム７４と中間転写ローラ５５との間で中間転写ベルト５４に転写されるようになっている。
【００２７】
一方、中間転写ベルト５４を挟んで中間転写ユニット７７の反対側には、２次転写装置５２が設けられている。２次転写装置５２は、図１に示す例では２つの支持ローラ５７の間に無端ベルトである２次転写ベルト５６を掛け渡して構成されている。そして、２次転写ベルト５６を中間転写ベルト５４に押し当てることにより、中間転写ベルト５４に形成されたトナー画像が、給紙部３から主搬送路７０を介して搬送された記録媒体に転写されるように構成されている。なお、２次転写装置５２としては、２次転写ベルト５６の代わりに２次転写ローラを採用してもよい。
【００２８】
２次転写装置５２の記録媒体の搬送方向下流側には定着ユニット５３が設けられている。定着ユニット５３は、無端ベルトである定着ベルト５８に加圧ローラ５９を押し当てるように構成されている。そして、定着ユニット５３は、加圧ローラ５９により記録媒体に熱と圧力を加えることにより、記録媒体に転写されたトナー画像のトナーを溶融して、記録媒体にカラー画像として定着させるようになっている。
【００２９】
また、図１に示すように、２次転写装置５２および定着ユニット５３の下側に反転搬送路７３が設けられている。反転搬送路７３は、記録媒体の両面に画像を形成するために、定着ユニット５３から排出された記録媒体の表裏を反転させて再度主搬送路７０を介して２次転写装置５２に供給するためのものである。
【００３０】
図２に示すように、前カバー６は、キャリア７１の前部に取り付けられている。キャリア７１は、レール７２により画像形成部５に対して前後方向（図２中、矢印ＦＲ）に移動可能に支持されている。また、キャリア７１には、図１で示した２次転写装置５２、定着ユニット５３、主搬送路７０、反転搬送路７３が設けられている。そして、キャリア７１、２次転写装置５２、定着ユニット５３、主搬送路７０、反転搬送路７３により引出しユニット７６が構成されている。つまり、前カバー６は、引出しユニット７６と一体的に構成されており、前カバー６に設けられた操作凹部６ａをユーザが握って前カバー６を画像形成部５に対して前後方向（図２中、矢印ＦＲ）に移動することにより、引出しユニット７６を画像形成部５に対して引き出しまたは収納することができる。
【００３１】
以上のように、２次転写装置５２、定着ユニット５３、主搬送路７０、反転搬送路７３は、キャリア７１に保持された状態で画像形成部５に対して前後方向に移動可能であり、画像形成装置１の使用時は画像形成部５に収納される一方、上記各装置の交換を行う場合や、画像形成部５に詰まった記録媒体を除去する場合には、引出しユニット７６を画像形成部５の前側Ｆに引き出すことにより上記各装置の交換や記録媒体の除去が可能となっている。
【００３２】
本実施の形態では、画像形成装置１は、記録媒体に画像を形成する画像形成部５と、該画像形成部５に記録媒体を供給する給紙部３とを含む画像形成装置本体１１を有するようになっている。
【００３３】
そして、本実施の形態では、画像形成装置１は、画像形成部５を構成する装置の一部を有し、画像形成装置本体１１に対してスライド可能に構成された引出しユニット７６と、引出しユニット７６装置本体とを電気的に接続する束線と、束線を保持する保持部材、引出しユニットに設けられたジャム処理箇所を知らせる通知手段を有している。さらに、本実施の形態では、引出しユニット７６には、少なくとも定着ユニット５３と反転搬送路７３が設けられている。
【００３４】
次に、図３から図５までを参照して、２次転写装置５２および中間転写ユニット７７の配置ならびに両者の相対的位置関係を説明する。
【００３５】
図３は、本発明の一実施形態に係る画像形成装置１における２次転写装置５２の配置を示す斜視図である。図３に示すように、２次転写装置５２は、画像形成装置本体１１に対してスライド可能な引出しユニット７６に搭載されており、引出しユニット７６を引き出すことにより、２次転写装置５２は画像形成装置本体１１から取り出し可能な構成となっている。
【００３６】
図４は、本発明の一実施形態に係る画像形成装置１における中間転写ユニット７７の配置を示す斜視図である。図４に示すように、中間転写ユニット７７は画像形成装置本体１１に対してスライド可能な構成となっており、引出すことにより画像形成装置本体１１から取り出し可能な構成となっている。
【００３７】
図５は、本発明の一実施形態に係る２次転写装置５２と中間転写ユニット７７の相対的位置関係を示す斜視図であり、画像形成装置１の前側から見た図である。図５に示すように、２次転写装置５２は中間転写ユニット７７により位置決めされていないため、画像形成装置１の前側から見たときに２次転写装置５２と中間転写ユニット７７はオーバーラップしない構成となっている。
【００３８】
次に、図６および図７を参照して、２次転写装置５２の位置調整機構を説明する。
【００３９】
図６および図７は、本発明の一実施形態に係る２次転写装置５２の位置調整機構について説明する斜視図である。図６は、画像形成装置１の前側から見た図であり、図７は、画像形成装置１の後側から見た図である。
【００４０】
図６および図７に示すように、２次転写装置５２は位置決め部材７８と連結されており、位置決め部材７８の位置により２次転写装置５２の位置が決まる構成となっている。
【００４１】
ここで、上述構成により、２次転写装置５２の位置を調整することが可能となっていることを、図８を参照して説明する。図８は、本発明の一実施形態に係る固定部材と支持部材との間に設けられた隙間を示す概略図である。なお、図８においては、位置調整を行うための調整治具８３が用いられているが、調整治具８３については後述する。
【００４２】
図８に示すとおり、２次転写装置５２が連結された位置決め部材７８と位置決め部材７８の位置を固定する固定部材７９とが、支持部材８０と嵌合し、支持部材８０と固定部材７９の間に隙間（ガタ）を設けることにより、２次転写装置５２の位置を調整可能としている。すなわち、固定部材７９と支持部材８０との間には隙間（ガタ）が設けられているため、固定部材７９、ひいては位置決め部材７８および２次転写装置５２は、該隙間の範囲内で位置を調整することが可能である。
【００４３】
したがって、２次転写装置５２は、位置決め部材７８を経由して該固定部材７９により位置決めされているので、結果として、該隙間の範囲内で２次転写装置５２の位置が調整可能となっている。
【００４４】
なお、図８では、支持部材８０に略円形に横棒（横長の四角形）を組み合わせた形状の穴が形成されていて、固定部材７９が当該穴の中で動くことができる範囲が左右４ｍｍ、上下１．５ｍｍとなっている例が示されているが、当該穴の形状は、図８に示す形状に限定されるわけではなく、例えば円形あるいは正方形にすることにより、左右の調整可能範囲、上下の調整可能範囲が等しくなる構成としてもよい。
【００４５】
さらに、当該穴の形状は、円形、楕円形、四角形、三角形、これらの組み合わせまたは基本図形以外の複雑な形状など、任意の形状とすることができ、かかる形状を変更することにより、固定部材７９、ひいては位置決め部材７８および２次転写装置５２の位置の調整ができる範囲を任意に設定することもできる。
【００４６】
なお、かかる位置の調整が完了したら、２次転写装置５２がその調整された位置に保持されるように、２次転写装置５２を引出しユニット７６に対して固定することが可能な構造となっていることは言うまでもない。
【００４７】
以上をまとめると、画像形成装置１は、記録媒体に画像を形成する画像形成部５と、画像形成部５に記録媒体を供給する給紙部３と、を有し、画像形成部５は、中間転写ベルト５４に前記画像を転写する中間転写ユニット７７と、中間転写ベルト５４に転写された画像を記録媒体に転写する２次転写装置５２と、を備え、中間転写ユニット７７は、画像形成部５に対してスライド可能に構成され、２次転写装置５２は、画像形成部５に対して中間転写ユニット７７と独立してスライド可能に構成された引出しユニット７６に搭載され、引出しユニット７６は、２次転写装置５２と連結された位置決め部材７８と、位置決め部材７８の位置を固定する固定部材７９と、位置決め部材７８と固定部材７９を支持する支持部材８０と、を備え、位置決め部材７８と固定部材７９が、支持部材８０と嵌合し、固定部材７９と支持部材８０との間に隙間を設けることにより、２次転写装置５２の位置を調整可能としたように構成されている。
【００４８】
この構成により、２次転写装置５２と中間転写ユニット７７の位置決めを各々独立して行うことにより、２次転写装置５２、または、中間転写ユニット７７を引き出す際に、互いに他方のユニットが邪魔にならない構成となるので、交換時、メンテナンス時の作業性が上がる。
【００４９】
また、２次転装置５２の位置を調整可能な構成とすることにより、中間転写ユニット７７と２次転写装置５２との間の位置精度の向上が可能となるので、「圧偏差によるシワ、ミミズ」、「濃度ムラ」を防止することができる。
【００５０】
次に、図９および図１０を参照して、調整治具８３を用いた位置決め部材７８の位置決めについて説明する。調整治具８３は、２次転装置５２と連結された位置決め部材７８と中間転写ユニット７７との相対的位置関係を定めることができる治具である。
【００５１】
図９は、本発明の一実施形態に係る調整治具の位置決め基準を示す概略図であり、図１０は、本発明の一実施形態に係る位置決めを行う部位を示す概略図である。
【００５２】
図９および図１０に示すように、位置決め部材７８の位置決めにあたっては、例えば可撓性を有する部材により構成され、中間転写ユニット７７と位置決め部材７８との相対的位置関係を定めることができる調整治具８３を使用することができる。
【００５３】
調整治具８３を用いることにより、位置決め部材７８と連結された２次転写装置５２と、中転斥力ローラ軸８１が含まれる中間転写ユニット７７との相対的位置関係を正確に設定することができる。
【００５４】
調整治具８３の使用方法を説明するに、先ず、図９および図１０に示すように、調整治具８３が、中間転写ユニット７７に設けられた中間転写斥力ローラ軸８１の位置である主基準および、主基準の位置と異なる位置であって中間転写ユニット７７に設けられた従基準孔８２の位置である従基準に基づいて位置決めされる。そして、該調整治具８３の位置決めの後、調整治具８３に設けられた嵌合孔に位置決め部材７８が嵌合させるような位置に位置決め部材７８をセットする。
【００５５】
以上のように位置決め部材７８が位置決めされると、これと同時に該位置決め部材７８と連結された転写ユニット５２も位置決めされる結果となる。
【００５６】
なお、従基準の位置は、従基準孔８２の位置に代えて、転写ユニット５２に設けられたピンまたはエンボスなどの位置としてもよい。
【００５７】
このように、図９および図１０に示される調整治具８３は、中間転写ユニット７７の２か所、すなわち上述した主基準および従基準の位置で位置決めされるため、調整治具８３の位置が安定する。なお、調整治具８３をよりよく安定させるために、従基準を複数設けることにより、調整治具８３が中間転写ユニット７７の３か所以上の位置で位置決めされる構成としてもよい。
【００５８】
上述説明から理解されるとおり、調整治具８３においては、中間転写ユニット７７に設けられた中間転写斥力ローラ軸８１の位置および従基準孔８２の位置ならびに２次転写装置５２の位置決めに用いる位置決め部材７８の適切な位置に適合する位置に、それぞれ、主基準の位置、従基準の位置および位置決め部材７８を嵌合させる位置決め部材嵌合孔の位置が定められている。つまり、調整治具８３における主基準の位置、従基準の位置および位置決め部材嵌合孔は、画像形成装置１の部品の寸法に応じて定められている。
【００５９】
なお、調整治具８３は、画像形成装置１自体の必須構成要素ではないが、顧客への提供方法の一つとして、両者を「調整治具付きの画像形成装置」として合わせて提供することが可能である。例えば、顧客に販売するにあたり調整治具８３を画像形成装置１と同梱した態様で提供することもできる。
【００６０】
かかる「調整治具付きの画像形成装置」が発明主題とされる場合には、調整治具８３は必須構成要素となる。
【００６１】
以上、本発明の一実施形態について説明したが、本発明は上述一の実施形態に限定されるものではなく、本発明の要旨を逸脱しない範囲で種々の変更を加え得ることは勿論である。
【００６２】
以上説明したとおり、本発明によれば、電子写真方式の画像形成装置において、中間転写ユニットの交換性、ジャム処理などのメンテナンス性を向上させつつ、中間転写ユニットと２次転写装置と間の位置精度を向上せさ、「シワ、ミミズ」、「濃度ムラ」を防止することができる。本発明は中間転写ユニットを用いた電子写真方式の画像形成装置の分野において有用な発明である。
【符号の説明】
【００６３】
１          画像形成装置
３          給紙部
５          画像形成部
５２        ２次転写装置
５４        中間転写ベルト
７６        引出しユニット
７７        中間転写ユニット
７８        位置決め部材
７９        固定部材
８０        支持部材
８１        中間転写斥力ローラ軸
８２        従基準孔
８３        調整治具
【先行技術文献】
【特許文献】
【００６４】
【特許文献１】特開２０１３−００８０１１号公報
【図１】
2017211589.tif 000003
【図２】
2017211589.tif 000004
【図３】
2017211589.tif 000005
【図４】
2017211589.tif 000006
【図５】
2017211589.tif 000007
【図６】
2017211589.tif 000008
【図７】
2017211589.tif 000009
【図８】
2017211589.tif 000010
【図９】
2017211589.tif 000011
【図１０】
2017211589.tif 000012